(57)【特許請求の範囲】
【請求項１】
無線通信システムにおいてＵＥ（Ｕｓｅｒ  Ｅｑｕｉｐｍｅｎｔ）により非周期的ＳＲＳ（Ｓｏｕｎｄｉｎｇ  Ｒｅｆｅｒｅｎｃｅ  Ｓｉｇｎａｌ）を送信する方法であって、
前記方法は、
ＤＣＩ（Ｄｏｗｎｌｉｎｋ  Ｃｏｎｔｒｏｌ  Ｉｎｆｏｒｍａｔｉｏｎ）フォーマットに含まれるトリガリングビットにより非周期的ＳＲＳの送信がトリガされるかどうかを指示する非周期的ＳＲＳ活性化信号をＲＲＣ（Ｒａｄｉｏ  Ｒｅｓｏｕｒｃｅ  Ｃｏｎｔｒｏｌ）階層を介して基地局（ＢＳ）から受信することと、
前記トリガリングビットにより前記非周期的ＳＲＳの送信がトリガされることを前記非周期的ＳＲＳ活性化信号が指示する場合に、前記非周期的ＳＲＳの送信をトリガする前記トリガリングビットを含む前記ＤＣＩフォーマットをＰＤＣＣＨ（Ｐｈｙｓｉｃａｌ  Ｄｏｗｎｌｉｎｋ  Ｃｏｎｔｒｏｌ  Ｃｈａｎｎｅｌ）を介して前記ＢＳから受信することと、
前記ＰＤＣＣＨをＵＥ特定探索空間でデコーディングすることと、
前記ＵＥ特定探索空間で前記トリガリングビットを検出することと、
前記非周期的ＳＲＳを前記ＢＳに送信することと
を含む、方法。
【請求項２】
前記ＤＣＩフォーマットは、ＰＵＳＣＨ（Ｐｈｙｓｉｃａｌ  Ｕｐｌｉｎｋ  Ｓｈａｒｅｄ  Ｃｈａｎｎｅｌ）のスケジューリングに使われるＤＣＩを含むか、又は一つのＰＤＳＣＨ（Ｐｈｙｓｉｃａｌ  Ｄｏｗｎｌｉｎｋ  Ｓｈａｒｅｄ  Ｃｈａｎｎｅｌ）符号語のスケジューリングに使われるＤＣＩを含む、請求項１に記載の方法。
【請求項３】
前記ＤＣＩフォーマットは、Ｃ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）によりマスキングされるＣＲＣ（Ｃｙｃｌｉｃ  Ｒｅｄｕｎｄａｎｃｙ  Ｃｈｅｃｋｉｎｇ）を含む、請求項１に記載の方法。
【請求項４】
前記トリガリングビットは、１ビットの大きさを有する、請求項１に記載の方法。
【請求項５】
前記トリガリングビットの値が１の場合、前記非周期的ＳＲＳの送信がトリガされる、請求項４に記載の方法。
【請求項６】
前記非周期的ＳＲＳ活性化信号は、１ビットの大きさを有する、請求項１に記載の方法。
【請求項７】
前記ＤＣＩフォーマットは、前記非周期的ＳＲＳを定義する少なくとも一つのパラメータを含む、請求項１に記載の方法。
【請求項８】
前記トリガリングビットは、ＰＵＳＣＨのスケジューリングに使われるＤＣＩを含むＤＣＩフォーマットの周波数ホッピングフラッグフィールドにマッピングされて受信される、請求項１に記載の方法。
【請求項９】
前記ＤＣＩフォーマットは、情報ビットにマッピングされ、ＣＲＣが付加され、チャネルコーディングが実行され、レートマッチングが実行されて受信される、請求項１に記載の方法。
【請求項１０】
無線通信システムにおけるＵＥ（Ｕｓｅｒ  Ｅｑｕｉｐｍｅｎｔ）であって、
前記ＵＥは、
ＲＦ（Ｒａｄｉｏ  Ｆｒｅｑｕｅｎｃｙ）部と、
前記ＲＦ部と連結されるプロセッサと
を含み、
前記ＵＥは、
ＤＣＩ（Ｄｏｗｎｌｉｎｋ  Ｃｏｎｔｒｏｌ  Ｉｎｆｏｒｍａｔｉｏｎ）フォーマットに含まれるトリガリングビットにより非周期的ＳＲＳ（Ｓｏｕｎｄｉｎｇ  Ｒｅｆｅｒｅｎｃｅ  Ｓｉｇｎａｌ）の送信がトリガされるかどうかを指示する非周期的ＳＲＳ活性化信号をＲＲＣ（Ｒａｄｉｏ  Ｒｅｓｏｕｒｃｅ  Ｃｏｎｔｒｏｌ）階層を介して基地局（ＢＳ）から受信することと、
前記トリガリングビットにより前記非周期的ＳＲＳの送信がトリガされることを前記非周期的ＳＲＳ活性化信号が指示する場合に、前記非周期的ＳＲＳの送信をトリガする前記トリガリングビットを含む前記ＤＣＩフォーマットをＰＤＣＣＨ（Ｐｈｙｓｉｃａｌ  Ｄｏｗｎｌｉｎｋ  Ｃｏｎｔｒｏｌ  Ｃｈａｎｎｅｌ）を介して前記ＢＳから受信することと、
前記ＰＤＣＣＨをＵＥ特定探索空間でデコーディングすることと、
前記ＵＥ特定探索空間で前記トリガリングビットを検出することと、
前記非周期的ＳＲＳを前記ＢＳに送信することと
を実行するように構成される、ＵＥ。
【請求項１１】
前記ＤＣＩフォーマットは、ＰＵＳＣＨ（Ｐｈｙｓｉｃａｌ  Ｕｐｌｉｎｋ  Ｓｈａｒｅｄ  Ｃｈａｎｎｅｌ）のスケジューリングに使われるＤＣＩを含むか、又は一つのＰＤＳＣＨ（Ｐｈｙｓｉｃａｌ  Ｄｏｗｎｌｉｎｋ  Ｓｈａｒｅｄ  Ｃｈａｎｎｅｌ）符号語のスケジューリングに使われるＤＣＩを含む、請求項１０に記載のＵＥ。
【請求項１２】
前記ＤＣＩフォーマットは、Ｃ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）によりマスキングされるＣＲＣ（Ｃｙｃｌｉｃ  Ｒｅｄｕｎｄａｎｃｙ  Ｃｈｅｃｋｉｎｇ）を含む、請求項１０に記載のＵＥ。
【請求項１３】
前記トリガリングビットは、１ビットの大きさを有する、請求項１０に記載のＵＥ。
【請求項１４】
前記トリガリングビットの値が１の場合、前記非周期的ＳＲＳの送信がトリガされる、請求項１３に記載のＵＥ。
【請求項１５】
前記非周期的ＳＲＳ活性化信号は、１ビットの大きさを有する、請求項１０に記載のＵＥ。
【発明の詳細な説明】
【技術分野】
【０００１】
本発明は、無線通信に関し、より詳しくは、無線通信システムにおける非周期的サウンディング参照信号送信方法及び装置に関する。
【背景技術】
【０００２】
無線通信システムでは、データの送／受信、システム同期獲得、チャネル情報フィードバックなどのためにアップリンクチャネル又はダウンリンクチャネルを推定する必要がある。無線通信システム環境では、多重経路時間遅延のためフェーディングが発生するようになる。フェーディングによる急激な環境変化により発生する信号の歪曲を補償して送信信号を復元する過程をチャネル推定という。また、端末が属するセル或いは他のセルに対するチャネル状態（ｃｈａｎｎｅｌ  ｓｔａｔｅ）を測定する必要がある。チャネル推定又はチャネル状態測定のために、一般的に送受信機が相互間に知っている参照信号（ＲＳ；Ｒｅｆｅｒｅｎｃｅ  Ｓｉｇｎａｌ）を用いてチャネル推定を実行するようになる。
【０００３】
参照信号送信に使われる副搬送波を参照信号副搬送波といい、データ送信に使われるリソース要素をデータ副搬送波という。ＯＦＤＭシステムにおいて、参照信号は、全ての副搬送波に割り当てる方式及びデータ副搬送波間に割り当てる方式がある。参照信号を全ての副搬送波に割り当てる方式は、チャネル推定性能の利得を得るために、プリアンブル信号のように参照信号のみからなる信号を用いる。これを使用する場合、一般的に参照信号の密度が高いため、データ副搬送波間に参照信号を割り当てる方式に比べてチャネル推定性能が改善されることができる。然しながら、データの送信量が減少されるため、データの送信量を増大させるためには、データ副搬送波間に参照信号を割り当てる方式を使用するようになる。このような方法を使用する場合、参照信号の密度が減少するため、チャネル推定性能の劣化が発生するようになり、これを最小化することができる適切な配置が要求される。
【０００４】
受信機は、参照信号の情報を知っているため、受信された信号でこれを分けてチャネルを推定することができ、推定されたチャネル値を補償し、送信端で送ったデータを正確に推定することができる。送信機で送る参照信号をｐ、参照信号が送信中に経るようになるチャネル情報をｈ、受信機で発生する熱雑音をｎ、受信機で受信された信号をｙとすると、ｙ＝ｈ・ｐ＋ｎのように示すことができる。この時、参照信号ｐは、受信機が既に知っているため、ＬＳ（Ｌｅａｓｔ  Ｓｑｕａｒｅ）方式を用いる場合、数式１のようにチャネル情報
【０００５】
【数１】
0005559424.tif 000002
を推定することができる。
【０００６】
【数２】
0005559424.tif 000003
この時、参照信号ｐを用いて推定したチャネル推定値
【０００７】
【数３】
0005559424.tif 000004
に応じてその正確度が決定されるようになる。従って、正確なｈ値の推定のためには、
【０００８】
【数４】
0005559424.tif 000005
が０に収束しなければならず、このためには多くの個数の参照信号を用いてチャネルを推定することによって
【０００９】
【数５】
0005559424.tif 000006
の影響を最小化しなければならない。優秀なチャネル推定性能のための多様なアルゴリズムが存在することができる。
【００１０】
アップリンク参照信号は、復調参照信号（ＤＭＲＳ；Ｄｅｍｏｄｕｌａｔｉｏｎ  Ｒｅｆｅｒｅｎｃｅ  Ｓｉｇｎａｌ）とサウンディング参照信号（ＳＲＳ；Ｓｏｕｎｄｉｎｇ  Ｒｅｆｅｒｅｎｃｅ  Ｓｉｇｎａｌ）とに区分されることができる。ＤＭＲＳは、受信された信号の復調のためのチャネル推定に使われる参照信号である。ＤＭＲＳは、ＰＵＳＣＨ又はＰＵＣＣＨの送信と結合されることができる。ＳＲＳは、アップリンクスケジューリングのために端末が基地局に送信する参照信号である。基地局は、受信されたＳＲＳを介してアップリンクチャネルを推定し、推定されたアップリンクチャネルをアップリンクスケジューリングに用いる。ＳＲＳは、周期的（ｐｅｒｉｏｄｉｃ）に送信されたり、或いは基地局がＳＲＳの送信を必要とする時、基地局によって誘発（ｔｒｉｇｇｅｒ）されて非周期的（ａｐｅｒｉｏｄｉｃ）に送信されることができる。
【００１１】
非周期的ＳＲＳの送信をトリガする基地局のトリガリングメッセージ（ｔｒｉｇｇｅｒｉｎｇ  ｍｅｓｓａｇｅ）が多様な方法に考慮されることができる。
【発明の概要】
【発明が解決しようとする課題】
【００１２】
本発明の技術的課題は、無線通信システムにおける非周期的（ａｐｅｒｉｏｄｉｃ）サウンディング参照信号（ＳＲＳ；Ｓｏｕｎｄｉｎｇ  Ｒｅｆｅｒｅｎｃｅ  Ｓｉｇｎａｌ）送信方法及び装置を提供することである。
【課題を解決するための手段】
【００１３】
一態様において、無線通信システムにおける端末（ＵＥ；Ｕｓｅｒ  Ｅｑｕｉｐｍｅｎｔ）により実行される非周期的（ａｐｅｒｉｏｄｉｃ）サウンディング参照信号（ＳＲＳ；Ｓｏｕｎｄｉｎｇ  Ｒｅｆｅｒｅｎｃｅ  Ｓｉｇｎａｌ）送信方法が提供される。前記非周期的ＳＲＳの送信方法は、非周期的ＳＲＳの送信をトリガ（ｔｒｉｇｇｅｒ）するトリガリング信号（ｔｒｉｇｇｅｒｉｎｇ  ｓｉｇｎａｌ）を含むＤＣＩ（Ｄｏｗｎｌｉｎｋ  Ｃｏｎｔｒｏｌ  Ｉｎｆｏｒｍａｔｉｏｎ）フォーマットをＰＤＣＣＨ（Ｐｈｙｓｉｃａｌ  Ｄｏｗｎｌｉｎｋ  Ｃｏｎｔｒｏｌ  Ｃｈａｎｎｅｌ）を介して基地局から受信し、前記ＰＤＣＣＨを端末特定（ＵＥ−ｓｐｅｃｉｆｉｃ）探索空間（ｓｅａｒｃｈ  ｓｐａｃｅ）でブラインドデコーディング（ｂｌｉｎｄ  ｄｅｃｏｄｉｎｇ）し、前記トリガリング信号に基づいてトリガされた前記非周期的ＳＲＳを基地局に送信することを含む。
【００１４】
前記ＤＣＩフォーマットは、ＰＵＳＣＨ（Ｐｈｙｓｉｃａｌ  Ｕｐｌｉｎｋ  Ｓｈａｒｅｄ  Ｃｈａｎｎｅｌ）のスケジューリングに使われるＤＣＩを含み、又は一つのＰＤＳＣＨ（Ｐｈｙｓｉｃａｌ  Ｄｏｗｎｌｉｎｋ  Ｓｈａｒｅｄ  Ｃｈａｎｎｅｌ）符号語（ｃｏｄｅｗｏｒｄ）のスケジューリングに使われるＤＣＩを含む。
【００１５】
前記ＤＣＩフォーマットは、Ｃ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）によりマスキング（ｍａｓｋｉｎｇ）されるＣＲＣ（Ｃｙｃｌｉｃ  Ｒｅｄｕｎｄａｎｃｙ  Ｃｈｅｃｋｉｎｇ）を含む。
【００１６】
前記トリガリング信号の大きさは、１ビットである。
【００１７】
前記トリガリング信号の値が１の場合、前記非周期的ＳＲＳの送信がトリガされる。
【００１８】
前記非周期的ＳＲＳの送信方法は、前記非周期的ＳＲＳが前記トリガリング信号によりトリガされるかどうかを指示する非周期的ＳＲＳ活性化信号（ａｃｔｉｖａｔｉｏｎ  ｓｉｇｎａｌ）を前記基地局から受信することをさらに含む。
【００１９】
前記非周期的ＳＲＳ活性化信号の大きさは、１ビットである。
【００２０】
前記ＤＣＩフォーマットは、前記非周期的ＳＲＳを定義する少なくとも一つのパラメータを含む。
【００２１】
前記トリガリング信号は、ＰＵＳＣＨのスケジューリングに使われるＤＣＩを含むＤＣＩフォーマットの周波数ホッピングフラッグ（ｆｒｅｑｕｅｎｃｙ  ｈｏｐｐｉｎｇ  ｆｌａｇ）フィールドにマッピングされて受信される。
【００２２】
前記ＤＣＩフォーマットは、情報ビットにマッピングされ、ＣＲＣが付加され、チャネルコーディング（ｃｈａｎｎｅｌｃｏｄｉｎｇ）が実行され、レートマッチング（ｒａｔｅ  ｍａｔｃｈｉｎｇ）が実行されて受信される。
【００２３】
他の態様において、無線通信システムにおける端末が提供される。前記端末は、ＲＦ（Ｒａｄｉｏ  Ｆｒｅｑｕｅｎｃｙ）部、及び前記ＲＦ部と連結されるプロセッサを含み、前記ＲＦ部は、非周期的ＳＲＳの送信をトリガするトリガリング信号を含むＤＣＩフォーマットをＰＤＣＣＨを介して基地局から受信し、前記トリガリング信号に基づいてトリガされた前記非周期的ＳＲＳを基地局に送信するように構成され、前記プロセッサは、前記ＰＤＣＣＨを端末特定探索空間でブラインドデコーディングするように構成される。
本発明は、例えば、以下の項目も提供する。
（項目１）
無線通信システムにおける端末（ＵＥ；Ｕｓｅｒ  Ｅｑｕｉｐｍｅｎｔ）により実行される非周期的（ａｐｅｒｉｏｄｉｃ）サウンディング参照信号（ＳＲＳ；Ｓｏｕｎｄｉｎｇ  Ｒｅｆｅｒｅｎｃｅ  Ｓｉｇｎａｌ）送信方法において、
非周期的ＳＲＳの送信をトリガ（ｔｒｉｇｇｅｒ）するトリガリング信号（ｔｒｉｇｇｅｒｉｎｇ  ｓｉｇｎａｌ）を含むＤＣＩ（Ｄｏｗｎｌｉｎｋ  Ｃｏｎｔｒｏｌ  Ｉｎｆｏｒｍａｔｉｏｎ）フォーマットをＰＤＣＣＨ（Ｐｈｙｓｉｃａｌ  Ｄｏｗｎｌｉｎｋ  Ｃｏｎｔｒｏｌ  Ｃｈａｎｎｅｌ）を介して基地局から受信し、
前記ＰＤＣＣＨを端末特定（ＵＥ−ｓｐｅｃｉｆｉｃ）探索空間（ｓｅａｒｃｈ  ｓｐａｃｅ）でブラインドデコーディング（ｂｌｉｎｄ  ｄｅｃｏｄｉｎｇ）し、
前記トリガリング信号に基づいてトリガされた前記非周期的ＳＲＳを基地局に送信することを含む非周期的ＳＲＳの送信方法。
（項目２）
前記ＤＣＩフォーマットは、ＰＵＳＣＨ（Ｐｈｙｓｉｃａｌ  Ｕｐｌｉｎｋ  Ｓｈａｒｅｄ  Ｃｈａｎｎｅｌ）のスケジューリングに使われるＤＣＩを含み、又は一つのＰＤＳＣＨ（Ｐｈｙｓｉｃａｌ  Ｄｏｗｎｌｉｎｋ  Ｓｈａｒｅｄ  Ｃｈａｎｎｅｌ）符号語（ｃｏｄｅｗｏｒｄ）のスケジューリングに使われるＤＣＩを含むことを特徴とする項目１に記載の非周期的ＳＲＳの送信方法。
（項目３）
前記ＤＣＩフォーマットは、Ｃ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）によりマスキング（ｍａｓｋｉｎｇ）されるＣＲＣ（Ｃｙｃｌｉｃ  Ｒｅｄｕｎｄａｎｃｙ  Ｃｈｅｃｋｉｎｇ）を含むことを特徴とする項目１に記載の非周期的ＳＲＳの送信方法。
（項目４）
前記トリガリング信号の大きさは、１ビットであることを特徴とする項目１に記載の非周期的ＳＲＳの送信方法。
（項目５）
前記トリガリング信号の値が１の場合、前記非周期的ＳＲＳの送信がトリガされることを特徴とする項目４に記載の非周期的ＳＲＳの送信方法。
（項目６）
前記非周期的ＳＲＳが前記トリガリング信号によりトリガされるかどうかを指示する非周期的ＳＲＳ活性化信号（ａｃｔｉｖａｔｉｏｎ  ｓｉｇｎａｌ）を前記基地局から受信することをさらに含むことを特徴とする項目１に記載の非周期的ＳＲＳの送信方法。
（項目７）
前記非周期的ＳＲＳ活性化信号の大きさは、１ビットであることを特徴とする項目６に記載の非周期的ＳＲＳの送信方法。
（項目８）
前記ＤＣＩフォーマットは、前記非周期的ＳＲＳを定義する少なくとも一つのパラメータを含むことを特徴とする項目１に記載の非周期的ＳＲＳの送信方法。
（項目９）
前記トリガリング信号は、ＰＵＳＣＨのスケジューリングに使われるＤＣＩを含むＤＣＩフォーマットの周波数ホッピングフラッグ（ｆｒｅｑｕｅｎｃｙ  ｈｏｐｐｉｎｇ  ｆｌａｇ）フィールドにマッピングされて受信されることを特徴とする項目１に記載の非周期的ＳＲＳの送信方法。
（項目１０）
前記ＤＣＩフォーマットは、情報ビットにマッピングされ、ＣＲＣが付加され、チャネルコーディング（ｃｈａｎｎｅｌｃｏｄｉｎｇ）が実行され、レートマッチング（ｒａｔｅ  ｍａｔｃｈｉｎｇ）が実行されて受信されることを特徴とする項目１に記載の非周期的ＳＲＳの送信方法。
（項目１１）
無線通信システムにおいて、
ＲＦ（Ｒａｄｉｏ  Ｆｒｅｑｕｅｎｃｙ）部；及び、
前記ＲＦ部と連結されるプロセッサ；を含み、
前記ＲＦ部は、
非周期的（ａｐｅｒｉｏｄｉｃ）サウンディング参照信号（ＳＲＳ；Ｓｏｕｎｄｉｎｇ  Ｒｅｆｅｒｅｎｃｅ  Ｓｉｇｎａｌ）の送信をトリガ（ｔｒｉｇｇｅｒ）するトリガリング信号（ｔｒｉｇｇｅｒｉｎｇ  ｓｉｇｎａｌ）を含むＤＣＩ（Ｄｏｗｎｌｉｎｋ  Ｃｏｎｔｒｏｌ  Ｉｎｆｏｒｍａｔｉｏｎ）フォーマットをＰＤＣＣＨ（Ｐｈｙｓｉｃａｌ  Ｄｏｗｎｌｉｎｋ  Ｃｏｎｔｒｏｌ  Ｃｈａｎｎｅｌ）を介して基地局から受信し、
前記トリガリング信号に基づいてトリガされた前記非周期的ＳＲＳを基地局に送信するように構成され、
前記プロセッサは、前記ＰＤＣＣＨを端末特定（ＵＥ−ｓｐｅｃｉｆｉｃ）探索空間（ｓｅａｒｃｈ  ｓｐａｃｅ）でブラインドデコーディング（ｂｌｉｎｄ  ｄｅｃｏｄｉｎｇ）するように構成される端末。
（項目１２）
前記ＤＣＩフォーマットは、ＰＵＳＣＨ（Ｐｈｙｓｉｃａｌ  Ｕｐｌｉｎｋ  Ｓｈａｒｅｄ  Ｃｈａｎｎｅｌ）のスケジューリングに使われるＤＣＩを含み、又は一つのＰＤＳＣＨ（Ｐｈｙｓｉｃａｌ  Ｄｏｗｎｌｉｎｋ  Ｓｈａｒｅｄ  Ｃｈａｎｎｅｌ）符号語（ｃｏｄｅｗｏｒｄ）のスケジューリングに使われるＤＣＩを含むことを特徴とする項目１１に記載の端末。
（項目１３）
前記ＤＣＩフォーマットは、Ｃ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）によりマスキング（ｍａｓｋｉｎｇ）されるＣＲＣ（Ｃｙｃｌｉｃ  Ｒｅｄｕｎｄａｎｃｙ  Ｃｈｅｃｋｉｎｇ）を含むことを特徴とする項目１１に記載の端末。
（項目１４）
前記トリガリング信号の大きさは、１ビットであることを特徴とする項目１１に記載の端末。
（項目１５）
前記トリガリング信号の値が１の場合、前記非周期的ＳＲＳの送信がトリガされることを特徴とする項目１４に記載の端末。
（項目１６）
前記ＲＦ部は、前記非周期的ＳＲＳが前記トリガリング信号によりトリガされるかどうかを指示する非周期的ＳＲＳ活性化信号（ａｃｔｉｖａｔｉｏｎ  ｓｉｇｎａｌ）を前記基地局から受信するようにさらに構成されることを特徴とする項目１１に記載の端末。
（項目１７）
前記非周期的ＳＲＳ活性化信号の大きさは、１ビットであることを特徴とする項目１６に記載の端末。
【発明の効果】
【００２４】
非周期的ＳＲＳをトリガ（ｔｒｉｇｇｅｒ）するためのトリガリングメッセージ（ｔｒｉｇｇｅｒｉｎｇ  ｍｅｓｓａｇｅ）を定義する。
【図面の簡単な説明】
【００２５】
【図１】無線通信システムである。
【図２】３ＧＰＰ  ＬＴＥにおける無線フレーム（ｒａｄｉｏ  ｆｒａｍｅ）の構造を示す。
【図３】一つのダウンリンクスロットに対するリソースグリッド（ｒｅｓｏｕｒｃｅ  ｇｒｉｄ）の一例を示す。
【図４】ダウンリンクサブフレームの構造を示す。
【図５】アップリンクサブフレームの構造を示す。
【図６】提案された非周期的ＳＲＳの送信方法の一実施例を示す。
【図７】本発明の実施例が具現される基地局及び端末のブロック図である。
【発明を実施するための形態】
【００２６】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような多様な無線通信システムに使われることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術で具現されることができる。ＯＦＤＭＡは、ＩＥＥＥ８０２．１１（Ｗｉ−Ｆｉ）、ＩＥＥＥ８０２．１６（ＷｉＭＡＸ）、ＩＥＥＥ８０２−２０、Ｅ−ＵＴＲＡ（Ｅｖｏｌｖｅｄ  ＵＴＲＡ）などのような無線技術で具現されることができる。ＩＥＥＥ８０２．１６ｍは、ＩＥＥＥ８０２．１６ｅの進化であり、ＩＥＥＥ８０２．１６ｅに基づくシステムとの後方互換性（ｂａｃｋｗａｒｄ  ｃｏｍｐａｔｉｂｉｌｉｔｙ）を提供する。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡ（Ｅｖｏｌｖｅｄ−ＵＭＴＳ  Ｔｅｒｒｅｓｔｒｉａｌ  Ｒａｄｉｏ  Ａｃｃｅｓｓ）を使用するＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（Ａｄｖａｎｃｅｄ）は、３ＧＰＰ  ＬＴＥの進化である。
【００２７】
説明を明確にするために、ＬＴＥ−Ａを中心に記述するが、本発明の技術的思想がこれに制限されるものではない。
【００２８】
図１は、無線通信システムである。
【００２９】
無線通信システム１０は、少なくとも一つの基地局（Ｂａｓｅ  Ｓｔａｔｉｏｎ；ＢＳ）１１を含む。各基地局１１は、特定の地理的領域（一般的にセルという）１５ａ、１５ｂ、１５ｃに対して通信サービスを提供する。また、セルは、複数の領域（セクターという）に分けられることができる。端末（Ｕｓｅｒ  Ｅｑｕｉｐｍｅｎｔ；ＵＥ）１２は、固定されたり、移動性を有することができ、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることもある。基地局１１は、一般的に端末１２と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００３０】
端末は、通常的に一つのセルに属し、端末が属するセルをサービングセル（ｓｅｒｖｉｎｇ  ｃｅｌｌ）という。サービングセルに対して通信サービスを提供する基地局をサービング基地局（ｓｅｒｖｉｎｇ  ＢＳ）という。無線通信システムは、セルラーシステム（ｃｅｌｌｕｌａｒ  ｓｙｓｔｅｍ）であるため、サービングセルに隣接する他のセルが存在する。サービングセルに隣接する他のセルを隣接セル（ｎｅｉｇｈｂｏｒ  ｃｅｌｌ）という。隣接セルに対して通信サービスを提供する基地局を隣接基地局（ｎｅｉｇｈｂｏｒ  ＢＳ）という。サービングセル及び隣接セルは、端末を基準に相対的に決定される。
【００３１】
この技術は、ダウンリンク（ｄｏｗｎｌｉｎｋ）又はアップリンク（ｕｐｌｉｎｋ）に使われることができる。一般的に、ダウンリンクは基地局１１から端末１２への通信を意味し、アップリンクは端末１２から基地局１１への通信を意味する。ダウンリンクで、送信機は基地局１１の一部分であり、受信機は端末１２の一部分である。アップリンクで、送信機は端末１２の一部分であり、受信機は基地局１１の一部分である。
【００３２】
無線通信システムは、ＭＩＭＯ（Ｍｕｌｔｉｐｌｅ−Ｉｎｐｕｔ  Ｍｕｌｔｉｐｌｅ−Ｏｕｔｐｕｔ）システム、ＭＩＳＯ（Ｍｕｌｔｉｐｌｅ−Ｉｎｐｕｔ  Ｓｉｎｇｌｅ−Ｏｕｔｐｕｔ）システム、ＳＩＳＯ（Ｓｉｎｇｌｅ−Ｉｎｐｕｔ  Ｓｉｎｇｌｅ−Ｏｕｔｐｕｔ）システム、及びＳＩＭＯ（Ｓｉｎｇｌｅ−Ｉｎｐｕｔ  Ｍｕｌｔｉｐｌｅ−Ｏｕｔｐｕｔ）システムのうちいずれか一つである。ＭＩＭＯシステムは、複数の送信アンテナ（ｔｒａｎｓｍｉｔ  ａｎｔｅｎｎａ）と複数の受信アンテナ（ｒｅｃｅｉｖｅ  ａｎｔｅｎｎａ）を使用する。ＭＩＳＯシステムは、複数の送信アンテナと一つの受信アンテナを使用する。ＳＩＳＯシステムは、一つの送信アンテナと一つの受信アンテナを使用する。ＳＩＭＯシステムは、一つの送信アンテナと複数の受信アンテナを使用する。以下、送信アンテナは、一つの信号又はストリームの送信に使われる物理的又は論理的アンテナを意味し、受信アンテナは、一つの信号又はストリームの受信に使われる物理的又は論理的アンテナを意味する。
【００３３】
図２は、３ＧＰＰ  ＬＴＥにおける無線フレーム（ｒａｄｉｏ  ｆｒａｍｅ）の構造を示す。
【００３４】
これは３ＧＰＰ（３ｒｄ  Ｇｅｎｅｒａｔｉｏｎ  Ｐａｒｔｎｅｒｓｈｉｐ  Ｐｒｏｊｅｃｔ）ＴＳ  ３６．２１１  Ｖ８．２．０（２００８−０３）“Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ（Ｒｅｌｅａｓｅ８）”の５節を参照することができる。図２を参照すると、無線フレームは１０個のサブフレーム（ｓｕｂｆｒａｍｅ）で構成され、一つのサブフレームは２個のスロット（ｓｌｏｔ）で構成される。無線フレーム内のスロットは、＃０から＃１９までのスロット番号が付けられる。一つのサブフレームの送信にかかる時間をＴＴＩ（Ｔｒａｎｓｍｉｓｓｉｏｎ  Ｔｉｍｅ  Ｉｎｔｅｒｖａｌ）という。ＴＴＩは、データ送信のためのスケジューリング単位を意味する。例えば、一つの無線フレームの長さは１０ｍｓであり、一つのサブフレームの長さは１ｍｓであり、一つのスロットの長さは０．５ｍｓである。
【００３５】
一つのスロットは、時間領域（ｔｉｍｅ  ｄｏｍａｉｎ）で複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、周波数領域で複数の副搬送波を含む。ＯＦＤＭシンボルは、３ＧＰＰ  ＬＴＥがダウンリンクでＯＦＤＭＡを使用するため、一つのシンボル区間（ｓｙｍｂｏｌ  ｐｅｒｉｏｄ）を表現するためのものであり、多重接続方式によって他の名称で呼ばれることもある。例えば、アップリンク多重接続方式にＳＣ−ＦＤＭＡが使われる場合、ＳＣ−ＦＤＭＡシンボルということができる。リソースブロック（ＲＢ；Ｒｅｓｏｕｒｃｅ  Ｂｌｏｃｋ）は、リソース割当単位であり、一つのスロットで複数の連続する副搬送波を含む。前記無線フレームの構造は一例に過ぎない。従って、無線フレームに含まれるサブフレームの個数やサブフレームに含まれるスロットの個数、又はスロットに含まれるＯＦＤＭシンボルの個数は多様に変更されることができる。
【００３６】
３ＧＰＰ  ＬＴＥは、ノーマル（ｎｏｒｍａｌ）サイクリックプレフィックス（ＣＰ；Ｃｙｃｌｉｃ  Ｐｒｅｆｉｘ）で一つのスロットは７個のＯＦＤＭシンボルを含み、拡張（ｅｘｔｅｎｄｅｄ）ＣＰで一つのスロットは６個のＯＦＤＭシンボルを含むと定義している。
【００３７】
無線通信システムは、大きく、ＦＤＤ（Ｆｒｅｑｕｅｎｃｙ  Ｄｉｖｉｓｉｏｎ  Ｄｕｐｌｅｘ）方式とＴＤＤ（Ｔｉｍｅ  Ｄｉｖｉｓｉｏｎ  Ｄｕｐｌｅｘ）方式とに分けられる。ＦＤＤ方式によると、アップリンク送信とダウンリンク送信が互いに異なる周波数帯域を占めて行われる。ＴＤＤ方式によると、アップリンク送信とダウンリンク送信が同じ周波数帯域を占め、互いに異なる時間に行われる。ＴＤＤ方式のチャネル応答は、実質的に相互的（ｒｅｃｉｐｒｏｃａｌ）である。これは与えられた周波数領域でダウンリンクチャネル応答とアップリンクチャネル応答がほぼ同じであるということを意味する。従って、ＴＤＤに基づく無線通信システムにおけるダウンリンクチャネル応答は、アップリンクチャネル応答から得られることができるという長所がある。ＴＤＤ方式は、全体周波数帯域をアップリンク送信とダウンリンク送信が時分割されるため、基地局によるダウンリンク送信と端末によるアップリンク送信が同時に実行されることができない。アップリンク送信とダウンリンク送信がサブフレーム単位に区分されるＴＤＤシステムで、アップリンク送信とダウンリンク送信は互いに異なるサブフレームで実行される。
【００３８】
図３は、一つのダウンリンクスロットに対するリソースグリッド（ｒｅｓｏｕｒｃｅ  ｇｒｉｄ）の一例を示す。
【００３９】
ダウンリンクスロットは、時間領域で複数のＯＦＤＭシンボルを含み、周波数領域でＮＲＢ個のリソースブロックを含む。ダウンリンクスロットに含まれるリソースブロックの数ＮＲＢは、セルで設定されるダウンリンク送信帯域幅（ｂａｎｄｗｉｄｔｈ）に従属する。例えば、ＬＴＥシステムにおけるＮＲＢは、６０〜１１０のうちいずれか一つである。一つのリソースブロックは、周波数領域で複数の副搬送波を含む。アップリンクスロットの構造も前記ダウンリンクスロットの構造と同様である。
【００４０】
リソースグリッド上の各要素（ｅｌｅｍｅｎｔ）をリソース要素（ｒｅｓｏｕｒｃｅ  ｅｌｅｍｅｎｔ）という。リソースグリッド上のリソース要素は、スロット内のインデックス対（ｐａｉｒ）（ｋ，ｌ）により識別されることができる。ここで、ｋ（ｋ＝０，．．．，ＮＲＢ×１２−１）は周波数領域内の副搬送波インデックスであり、ｌ（ｌ＝０，．．．，６）は時間領域内のＯＦＤＭシンボルインデックスである。
【００４１】
ここで、一つのリソースブロックは、時間領域で７ＯＦＤＭシンボル、周波数領域で１２副搬送波で構成される７×１２リソース要素を含むことを例示的に記述するが、リソースブロック内のＯＦＤＭシンボルの数と副搬送波の数はこれに制限されるものではない。ＯＦＤＭシンボルの数と副搬送波の数は、ＣＰの長さ、周波数間隔（ｆｒｅｑｕｅｎｃｙ  ｓｐａｃｉｎｇ）などによって多様に変更されることができる。例えば、ノーマルＣＰの場合、ＯＦＤＭシンボルの数は７であり、拡張されたＣＰの場合、ＯＦＤＭシンボルの数は６である。一つのＯＦＤＭシンボルで副搬送波の数は、１２８、２５６、５１２、１０２４、１５３６、及び２０４８のうち一つを選定して使用することができる。
【００４２】
図４は、ダウンリンクサブフレームの構造を示す。
【００４３】
ダウンリンクサブフレームは時間領域で２個のスロットを含み、各スロットはノーマルＣＰで７個のＯＦＤＭシンボルを含む。サブフレーム内の第１のスロットの前方部の最大３ＯＦＤＭシンボル（１．４Ｍｈｚ帯域幅に対しては最大４ＯＦＤＭシンボル）は、制御チャネルが割り当てられる制御領域（ｃｏｎｔｒｏｌ  ｒｅｇｉｏｎ）であり、残りのＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域である。
【００４４】
ＰＤＣＣＨは、ＤＬ−ＳＣＨ（Ｄｏｗｎｌｉｎｋ−Ｓｈａｒｅｄ  Ｃｈａｎｎｅｌ）のリソース割当及び送信フォーマット、ＵＬ−ＳＣＨ（Ｕｐｌｉｎｋ  Ｓｈａｒｅｄ  Ｃｈａｎｎｅｌ）のリソース割当情報、ＰＣＨ上のページング情報、ＤＬ−ＳＣＨ上のシステム情報、ＰＤＳＣＨ上に送信されるランダムアクセス応答のような上位階層制御メッセージのリソース割当、任意のＵＥグループ内の個別ＵＥに対する送信パワー制御命令の集合及びＶｏＩＰ（Ｖｏｉｃｅ  ｏｖｅｒ  Ｉｎｔｅｒｎｅｔ  Ｐｒｏｔｏｃｏｌ）の活性化などを運ぶことができる。複数のＰＤＣＣＨが制御領域内で送信されることができ、端末は複数のＰＤＣＣＨをモニタリングすることができる。ＰＤＣＣＨは、一つ又は複数個の連続的なＣＣＥ（Ｃｏｎｔｒｏｌ  Ｃｈａｎｎｅｌ  Ｅｌｅｍｅｎｔｓ）の集合（ａｇｇｒｅｇａｔｉｏｎ）上に送信される。ＣＣＥは、無線チャネルの状態による符号化率をＰＤＣＣＨに提供するために使われる論理的割当単位である。ＣＣＥは、複数のリソース要素グループ（ｒｅｓｏｕｒｃｅ  ｅｌｅｍｅｎｔ  ｇｒｏｕｐ）に対応される。ＣＣＥの数とＣＣＥにより提供される符号化率の関連関係によってＰＤＣＣＨのフォーマット及び可能なＰＤＣＣＨのビット数が決定される。
【００４５】
基地局は、端末に送るＤＣＩによってＰＤＣＣＨフォーマットを決定し、ＤＣＩにＣＲＣ（Ｃｙｃｌｉｃ  Ｒｅｄｕｎｄａｎｃｙ  Ｃｈｅｃｋ）を付ける。ＣＲＣにはＰＤＣＣＨの所有者（ｏｗｎｅｒ）や用途によって固有な識別子（ＲＮＴＩ；Ｒａｄｉｏ  Ｎｅｔｗｏｒｋ  Ｔｅｍｐｏｒａｒｙ  Ｉｄｅｎｔｉｆｉｅｒ）がマスキングされる。特定端末のためのＰＤＣＣＨの場合、端末の固有識別子、例えば、Ｃ−ＲＮＴＩ（Ｃｅｌｌ−ＲＮＴＩ）がＣＲＣにマスキングされることができる。又は、ページングメッセージのためのＰＤＣＣＨの場合、ページング指示識別子、例えば、Ｐ−ＲＮＴＩ（Ｐａｇｉｎｇ−ＲＮＴＩ）がＣＲＣにマスキングされることができる。システム情報（ＳＩＢ；Ｓｙｓｔｅｍ  Ｉｎｆｏｒｍａｔｉｏｎ  Ｂｌｏｃｋ）のためのＰＤＣＣＨの場合、システム情報識別子、ＳＩ−ＲＮＴＩ（Ｓｙｓｔｅｍ  Ｉｎｆｏｒｍａｔｉｏｎ−ＲＮＴＩ）がＣＲＣにマスキングされることができる。端末のランダムアクセスプリアンブルの送信に対する応答であるランダムアクセス応答を指示するためにＲＡ−ＲＮＴＩ（Ｒａｎｄｏｍ  Ａｃｃｅｓｓ−ＲＮＴＩ）がＣＲＣにマスキングされることができる。ＣＲＣが付けられたＤＣＩは、チャネルコーディング（ｃｈａｎｎｅｌ  ｃｏｄｉｎｇ）及びレートマッチング（ｒａｔｅ  ｍａｔｃｈｉｎｇ）を経て送信されることができる。
【００４６】
例えば、ＤＣＩフォーマット０は、次のようなフィールドを含むことができる。ＤＣＩフォーマット０は、ＰＵＳＣＨ（Ｐｈｙｓｉｃａｌ  Ｕｐｌｉｎｋ  Ｓｈａｒｅｄ  Ｃｈａｎｎｅｌ）のスケジューリングのために使われることができる。
【００４７】
−周波数ホッピングフラッグ（ｆｒｅｑｕｅｎｃｙ  ｈｏｐｐｉｎｇ  ｆｌａｇ）フィールド：１ビット
−リソースブロック割当（ｒｅｓｏｕｒｃｅ  ｂｌｏｃｋ  ａｓｓｉｇｎｍｅｎｔ）及びホッピングリソース割当（ｈｏｐｐｉｎｇ  ｒｅｓｏｕｒｃｅ  ａｌｌｏｃａｔｉｏｎ）フィールド
−変調及びコーディング方式（Ｍｏｄｕｌａｔｉｏｎ  ａｎｄ  Ｃｏｄｉｎｇ  Ｓｃｈｅｍｅ）及び余分バージョン（ｒｅｄｕｎｄａｎｃｙ  ｖｅｒｓｉｏｎ）フィールド：５ビット
−新規データ指示子（ｎｅｗ  ｄａｔａ  ｉｎｄｉｃａｔｏｒ）フィールド：１ビット
−スケジューリングされたＰＵＳＣＨのためのＴＰＣ命令（ｃｏｍｍａｎｄ）フィールド：２ビット
−ＤＭＲＳのための循環シフト（ｃｙｃｌｉｃ  ｓｈｉｆｔ）フィールド：３ビット
−アップリンクインデックス（ＵＬ  ｉｎｄｅｘ）フィールド：２ビット
−ダウンリンク割当インデックス（ＤＡＩ；Ｄｏｗｎｌｉｎｋ  Ａｓｓｉｇｎｍｅｎｔ  Ｉｎｄｅｘ）フィールド：２ビット
−ＣＱＩ要求（ｒｅｑｕｅｓｔ）フィールド：１ビット
前記フィールドは、説明された順序の通りにマッピングされることができる。即ち、ＤＣＩフォーマット０／１Ａを区分するためのフラッグフィールドが情報ビットの最前部にマッピングされることができ、以後残りのフィールドが順序の通りにマッピングされることができる。また、各フィールド内でＭＳＢ（Ｍｏｓｔ  Ｓｉｇｎｉｆｉｃａｎｔ  Ｂｉｔ）が情報ビットの前部にマッピングされることができる。ＤＣＩフォーマット１Ａは、一つのＰＤＳＣＨ符号語（ｃｏｄｅｗｏｒｄ）のスケジューリングのために使われることができる。一方、ＤＣＩフォーマット０の大きさがＤＣＩフォーマット１Ａの大きさより小さい場合、ＤＣＩフォーマット０の大きさがＤＣＩフォーマット１Ａの大きさと同じ  になる時まで、０ビットがパディング（ｐａｄｄｉｎｇ）されることができる。
【００４８】
図５は、アップリンクサブフレームの構造を示す。
【００４９】
アップリンクサブフレームは、周波数領域で制御領域とデータ領域とに分けられることができる。前記制御領域は、アップリンク制御情報が送信されるためのＰＵＣＣＨ（Ｐｈｙｓｉｃａｌ  Ｕｐｌｉｎｋ  Ｃｏｎｔｒｏｌ  Ｃｈａｎｎｅｌ）が割り当てられる。前記データ領域は、データが送信されるためのＰＵＳＣＨ（Ｐｈｙｓｉｃａｌ  Ｕｐｌｉｎｋ  Ｓｈａｒｅｄ  Ｃｈａｎｎｅｌ）が割り当てられる。上位階層で指示される場合、端末はＰＵＳＣＨとＰＵＣＣＨの同時送信をサポートすることができる。
【００５０】
一つの端末に対するＰＵＣＣＨは、サブフレームでリソースブロック対（ＲＢ  ｐａｉｒ）で割り当てられる。リソースブロック対に属するリソースブロックは、第１のスロットと第２のスロットの各々で互いに異なる副搬送波を占める。ＰＵＣＣＨに割り当てられるリソースブロック対に属するリソースブロックが占める周波数は、スロット境界（ｓｌｏｔ  ｂｏｕｎｄａｒｙ）を基準に変更される。これをＰＵＣＣＨに割り当てられるＲＢ対がスロット境界で周波数がホッピング（ｆｒｅｑｕｅｎｃｙ−ｈｏｐｐｅｄ）されたという。端末がアップリンク制御情報を時間によって互いに異なる副搬送波を介して送信することによって、周波数ダイバーシティ利得を得ることができる。ｍは、サブフレーム内でＰＵＣＣＨに割り当てられたリソースブロック対の論理的な周波数領域位置を示す位置インデックスである。
【００５１】
ＰＵＣＣＨ上に送信されるアップリンク制御情報には、ＨＡＲＱ（Ｈｙｂｒｉｄ  Ａｕｔｏｍａｔｉｃ  Ｒｅｐｅａｔ  ｒｅＱｕｅｓｔ）ＡＣＫ（Ａｃｋｎｏｗｌｅｄｇｅｍｅｎｔ）／ＮＡＣＫ（Ｎｏｎ−ａｃｋｎｏｗｌｅｄｇｅｍｅｎｔ）、ダウンリンクチャネル状態を示すＣＱＩ（Ｃｈａｎｎｅｌ  Ｑｕａｌｉｔｙ  Ｉｎｄｉｃａｔｏｒ）、アップリンク無線リソース割当要求であるＳＲ（Ｓｃｈｅｄｕｌｉｎｇ  Ｒｅｑｕｅｓｔ）などがある。
【００５２】
ＰＵＳＣＨは、トランスポートチャネル（ｔｒａｎｓｐｏｒｔ  ｃｈａｎｎｅｌ）であるＵＬ−ＳＣＨ（Ｕｐｌｉｎｋ  Ｓｈａｒｅｄ  Ｃｈａｎｎｅｌ）にマッピングされる。ＰＵＳＣＨ上に送信されるアップリンクデータは、ＴＴＩ中に送信されるＵＬ−ＳＣＨのためのデータブロックであるトランスポートブロック（ｔｒａｎｓｐｏｒｔ  ｂｌｏｃｋ）である。前記トランスポートブロックは、ユーザ情報である。又は、アップリンクデータは、多重化された（ｍｕｌｔｉｐｌｅｘｅｄ）データである。多重化されたデータは、ＵＬ−ＳＣＨのためのトランスポートブロックと制御情報が多重化されたものである。例えば、データに多重化される制御情報には、ＣＱＩ、ＰＭＩ（Ｐｒｅｃｏｄｉｎｇ  Ｍａｔｒｉｘ  Ｉｎｄｉｃａｔｏｒ）、ＨＡＲＱ、ＲＩ（Ｒａｎｋ  Ｉｎｄｉｃａｔｏｒ）などがある。又は、アップリンクデータは制御情報のみで構成されることもできる。
【００５３】
以下、アップリンク参照信号に対して説明する。
【００５４】
参照信号は一般的にシーケンスとして送信される。参照信号シーケンスは、特別な制限なしに任意のシーケンスが使われることができる。参照信号シーケンスは、ＰＳＫ（Ｐｈａｓｅ  Ｓｈｉｆｔ  Ｋｅｙｉｎｇ）ベースのコンピュータを介して生成されたシーケンス（ＰＳＫ−ｂａｓｅｄ  ｃｏｍｐｕｔｅｒ  ｇｅｎｅｒａｔｅｄ  ｓｅｑｕｅｎｃｅ）を使用することができる。ＰＳＫの例には、ＢＰＳＫ（Ｂｉｎａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）などがある。又は、参照信号シーケンスは、ＣＡＺＡＣ（Ｃｏｎｓｔａｎｔ  Ａｍｐｌｉｔｕｄｅ  Ｚｅｒｏ  Ａｕｔｏ−Ｃｏｒｒｅｌａｔｉｏｎ）シーケンスを使用することができる。ＣＡＺＡＣシーケンスの例には、ＺＣ（Ｚａｄｏｆｆ−Ｃｈｕ）ベースのシーケンス（ＺＣ−ｂａｓｅｄ  ｓｅｑｕｅｎｃｅ）、循環拡張（ｃｙｃｌｉｃ  ｅｘｔｅｎｓｉｏｎ）されたＺＣシーケンス（ＺＣ  ｓｅｑｕｅｎｃｅ  ｗｉｔｈ  ｃｙｃｌｉｃ  ｅｘｔｅｎｓｉｏｎ）、切断（ｔｒｕｎｃａｔｉｏｎ）ＺＣシーケンス（ＺＣ  ｓｅｑｕｅｎｃｅ  ｗｉｔｈ  ｔｒｕｎｃａｔｉｏｎ）などがある。又は、参照信号シーケンスは、ＰＮ（ｐｓｅｕｄｏ−ｒａｎｄｏｍ）シーケンスを使用することができる。ＰＮシーケンスの例には、ｍ−シーケンス、コンピュータを介して生成されたシーケンス、ゴールド（Ｇｏｌｄ）シーケンス、カサミ（Ｋａｓａｍｉ）シーケンスなどがある。また、参照信号シーケンスは。循環シフトされたシーケンス（ｃｙｃｌｉｃａｌｌｙ  ｓｈｉｆｔｅｄ  ｓｅｑｕｅｎｃｅ）を用いることができる。
【００５５】
アップリンク参照信号は、復調参照信号（ＤＭＲＳ；Ｄｅｍｏｄｕｌａｔｉｏｎ  Ｒｅｆｅｒｅｎｃｅ  Ｓｉｇｎａｌ）とサウンディング参照信号（ＳＲＳ；Ｓｏｕｎｄｉｎｇ  Ｒｅｆｅｒｅｎｃｅ  Ｓｉｇｎａｌ）とに区分されることができる。ＤＭＲＳは、受信された信号の復調のためのチャネル推定に使われる参照信号である。ＤＭＲＳは、ＰＵＳＣＨ又はＰＵＣＣＨの送信と結合されることができる。ＳＲＳは、アップリンクスケジューリングのために端末が基地局に送信する参照信号である。基地局は、受信されたサウンディング参照信号を介してアップリンクチャネルを推定し、推定されたアップリンクチャネルをアップリンクスケジューリングに用いる。ＳＲＳは、ＰＵＳＣＨ又はＰＵＣＣＨの送信と結合されない。ＤＭＲＳとＳＲＳのために同じ種類の基本シーケンスが使われることができる。一方、アップリンク多重アンテナ送信でＤＭＲＳに適用されたプリコーディングは、ＰＵＳＣＨに適用されたプリコーディングと同様である。循環シフト分離（ｃｙｃｌｉｃ  ｓｈｉｆｔ  ｓｅｐａｒａｔｉｏｎ）は、ＤＭＲＳを多重化する基本技法（ｐｒｉｍａｒｙ  ｓｃｈｅｍｅ）である。ＬＴＥ−Ａシステムにおいて、ＳＲＳは、プリコーディングされなくてもよく、アンテナ特定された参照信号であってもよい。
【００５６】
ＳＲＳは、端末や中継局が基地局に送信する参照信号であり、アップリンクデータや制御信号送信と関連付けられない参照信号である。ＳＲＳは、一般的にアップリンクで周波数選択的スケジューリングのためのチャネル品質推定のために使われるが、他の用途で使われることもできる。例えば、パワー制御や最初ＭＣＳ選択、データ送信のための最初パワー制御などにも使われることができる。ＳＲＳは、一般的に一つのサブフレームの最後のＳＣ−ＦＤＭＡシンボルで送信される。
【００５７】
ＳＲＳシーケンスｒＳＲＳ（ｎ）＝ｒｕ，ｖ（α）（ｎ）で定義される。参照信号シーケンスｒｕ，ｖ（α）（ｎ）は、数式２により基本シーケンスｂｕ，ｖ（ｎ）と循環シフトαに基づいて定義されることができる。
【００５８】
【数６】
0005559424.tif 000007
数式２で、ＭｓｃＲＳ（１≦ｍ≦ＮＲＢｍａｘ，ＵＬ）は、参照信号シーケンスの長さであり、ＭｓｃＲＳ＝ｍ＊ＮｓｃＲＢである。ＮｓｃＲＢは、周波数領域で副搬送波の個数で示されるリソースブロックの大きさを示し、ＮＲＢｍａｘ，ＵＬは、ＮｓｃＲＢの倍数で示されるアップリンク帯域幅の最大値を示す。複数の参照信号シーケンスは、一つの基本シーケンスから循環シフト値であるαを違って適用して定義されることができる。
【００５９】
基本シーケンスｂｕ，ｖ（ｎ）は複数のグループに分けられ、この時、ｕ∈｛０，１，．．．，２９｝はグループインデックスを示し、ｖはグループ内で基本シーケンスインデックスを示す。基本シーケンスは、基本シーケンスの長さ（ＭｓｃＲＳ）に依存する。各グループは、１≦ｍ≦５であるｍに対して長さがＭｓｃＲＳである一つの基本シーケンス（ｖ＝０）を含み、６≦ｍ≦ｎＲＢｍａｘ，ＵＬであるｍに対しては長さがＭｓｃＲＳである２個の基本シーケンス（ｖ＝０，１）を含む。シーケンスグループインデックスｕとグループ内の基本シーケンスインデックスｖは、後述するグループホッピング（ｇｒｏｕｐ  ｈｏｐｐｉｎｇ）又はシーケンスホッピング（ｓｅｑｕｅｎｃｅ  ｈｏｐｐｉｎｇ）のように時間によって変わることができる。
【００６０】
また、ＳＲＳシーケンスで、ｕはＰＵＣＣＨシーケンスグループインデックスを示し、ｖは基本シーケンスインデックスを示す。循環シフト値αは、数式３により定義される。
【００６１】
【数７】
0005559424.tif 000008
ｎＳＲＳｃｓは、各端末に対して上位階層により構成される値であり、０から７までの整数のうちいずれか一つである。
【００６２】
ＳＲＳシーケンスは、送信電力ＰＳＲＳを満たすために、振幅スケーリング因子であるβＳＲＳをかけてリソース要素にマッピングされる。ＳＲＳシーケンスは、ｒＳＲＳ（０）から始めてリソース要素（ｋ，ｌ）に数式４によってマッピングされることができる。
【００６３】
【数８】
0005559424.tif 000009
数式４で、ｋ０はＳＲＳの周波数領域での開始位置（ｓｔａｒｔｉｎｇ  ｐｏｓｉｔｉｏｎ）であり、Ｍｓｃ，ｂＲＳは、数式５により定義されるＳＲＳシーケンスの長さである。
【００６４】
【数９】
0005559424.tif 000010
数式５で、ｍＳＲＳ，ｂは、各アップリンク帯域幅ＮＲＢＵＬに対して後述する表１乃至表４により与えられることができる。
【００６５】
数式４のｋ０は、数式６により定義されることができる。
【００６６】
【数１０】
0005559424.tif 000011
数式６で、ｋ０′は、一般アップリンクサブフレームでは
【００６７】
【数１１】
0005559424.tif 000012
として与えられる。ｋＴＣ∈｛０，１｝は上位階層により端末に与えられるパラメータであり、ｎｂは周波数位置インデックスである。
【００６８】
ＳＲＳの周波数ホッピング（ｆｒｅｑｕｅｎｃｙ  ｈｏｐｐｉｎｇ）は、上位階層により与えられるパラメータｂｈｏｐ∈｛０，１，２，３｝により構成される。ＳＲＳの周波数ホッピングが可能でない場合（ｂｈｏｐ≧ＢＳＲＳ）、前記周波数位置インデックス
【００６９】
【数１２】
0005559424.tif 000013
の定数により決定され、ｎＲＲＣは上位階層により与えられる。ＳＲＳの周波数ホッピングが可能な場合（ｂｈｏｐ＜ＢＳＲＳ）、前記周波数位置インデックスｎｂは、数式７により決定されることができる。
【００７０】
【数１３】
0005559424.tif 000014
Ｎｂは後述する表１乃至表４により決定され、Ｆｂ（ｎＳＲＳ）は数式８により決定されることができる。
【００７１】
【数１４】
0005559424.tif 000015
数式８で、ｎＳＲＳは、端末特定ＳＲＳの送信の回数を示し、数式９により決定されることができる。
【００７２】
【数１５】
0005559424.tif 000016
数式９で、ＴＳＲＳはＳＲＳの送信の端末特定周期（ｐｅｒｉｏｄｉｃｉｔｙ）を示し、ＴｏｆｆｓｅｔはＳＲＳサブフレームオフセットを示し、Ｔｏｆｆｓｅｔ＿ｍａｘはＳＲＳサブフレームオフセットの特定構成のためのＴｏｆｆｓｅｔ値の最大値を示す。ＴＳＲＳとＴｏｆｆｓｅｔは、後述する表７及び表８により与えられることができる。
【００７３】
表１乃至表４は、ＳＲＳ帯域幅構成の一例を示す。３ビットのセル特定パラメータが８個のうち一つの帯域幅構成を指示するためにブロードキャストされることができる。また、２ビットの端末特定パラメータが４個のうち一つの帯域幅構成を指示するために上位階層から与えられることができる。
【００７４】
表１は、アップリンク帯域幅ＮＲＢＵＬが６≦ＮＲＢＵＬ≦４０の範囲である時、ｍＳＲＳ，ｂ及びＮｂ（但し、ｂ＝０，１，２，３）の一例である。
【００７５】
【表１】
0005559424.tif 000017
表２は、アップリンク帯域幅ＮＲＢＵＬが４０≦ＮＲＢＵＬ≦６０の範囲である時、ｍＳＲＳ，ｂ及びＮｂ（但し、ｂ＝０，１，２，３）の一例である。
【００７６】
【表２】
0005559424.tif 000018
表３は、アップリンク帯域幅ＮＲＢＵＬが６０≦ＮＲＢＵＬ≦８０の範囲である時、ｍＳＲＳ，ｂ及びＮｂ（但し、ｂ＝０，１，２，３）の一例である。
【００７７】
【表３】
0005559424.tif 000019
表４は、アップリンク帯域幅ＮＲＢＵＬが８０≦ＮＲＢＵＬ≦１１０の範囲である時、ｍＳＲＳ，ｂ及びＮｂ（但し、ｂ＝０，１，２，３）の一例である。
【００７８】
【表４】
0005559424.tif 000020
表１乃至表４で、セル特定パラメータであるＣＳＲＳ∈｛０，１，２，３，４，５，６，７｝と端末特定パラメータであるＢＳＲＳ∈｛０，１，２，３｝は上位階層により与えられる。
【００７９】
表５及び表６は、ＳＲＳの送信に対するセル特定サブフレーム構成周期パラメータＴＳＦＣとセル特定サブフレームオフセットパラメータΔＳＦＣの一例である。
【００８０】
表５は、ＦＤＤシステムでのＳＲＳサブフレーム構成の一例である。表５によると、ＳＲＳサブフレーム構成は、長さが４ビットであるパラメータにより指示されることができ、ＳＲＳサブフレームの周期は、１、２、５、及び１０サブフレームのうちいずれか一つになることができる。
【００８１】
【表５】
0005559424.tif 000021
表６は、ＴＤＤシステムでのＳＲＳサブフレーム構成の一例である。
【００８２】
【表６】
0005559424.tif 000022
ＳＲＳの送信のための端末での動作は、次の通りである。
【００８３】
端末がＳＲＳを送信する時、サブフレームｉにおける送信電力ＰＳＲＳは、数式１０により決定されることができる。
【００８４】
【数１６】
0005559424.tif 000023
数式１０で、ＰＣＭＡＸは予め指定された端末の送信電力である。ＰＳＲＳ＿ＯＦＦＳＥＴは上位階層により半静的（ｓｅｍｉ−ｓｔａｔｉｃａｌｌｙ）決定される４ビット長さの端末特定パラメータである。Ｋｓ＝１．２５の場合、ＰＳＲＳ＿ＯＦＦＳＥＴは［−３，１２］ｄＢの範囲で１ｄＢ単位に決定されることができる。Ｋｓ＝０の場合、ＰＳＲＳ＿ＯＦＦＳＥＴは［−１０．５，１２］ｄＢの範囲で１．５ｄＢ単位に決定されることができる。ＭＳＲＳはリソースブロックの個数で示されるＳＲＳの送信の帯域幅であり、ＰＯ＿ＰＵＳＣＨ（ｊ）は上位階層により与えられるセル特定名目要素（ｎｏｍｉｎａｌ  ｃｏｍｐｏｎｅｎｔ）であるＰＯ＿ＮＯＭＩＮＡＬ＿ＰＵＳＣＨ（ｊ）と、また、上位階層により与えられる端末特定要素であるＰＯ＿ＵＥ＿ＰＵＳＣＨ（ｊ）と、の和で構成されるパラメータである。α（ｊ）は上位階層により与えられる３ビットのセル特定パラメータを示し、ＰＬは端末で計算された経路損失（ｐａｔｈｌｏｓｓ）の推定値を示し、ｆ（ｉ）はＰＵＳＣＨに対する現在電力制御調整状態を示す。
【００８５】
端末が送信アンテナ選択可能である時、ｎＳＲＳ時間にＳＲＳを送信する端末アンテナのインデックスａ（ｎＳＲＳ）は、周波数ホッピングが可能でない場合には、全サウンディング帯域幅又は部分サウンディング帯域幅に対してａ（ｎＳＲＳ）＝ｎＳＲＳ  ｍｏｄ２として与えられ、周波数ホッピングが可能な場合には、数式１１により与えられることができる。
【００８６】
【数１７】
0005559424.tif 000024
数式１１で、ＢＳＲＳはＳＲＳ帯域幅を示し、ｂｈｏｐは周波数ホッピング帯域幅を示す。Ｎｂは、ＣＳＲＳとＢＳＲＳにより予め決定された表により決定されることができる。
【００８７】
【数１８】
0005559424.tif 000025
である。
【００８８】
数式１１で、βは、数式１２により決定されることができる。
【００８９】
【数１９】
0005559424.tif 000026
ＴＤＤシステムで、ＵｐＰＴＳ（Ｕｐｌｉｎｋ  Ｐｉｌｏｔ  Ｔｉｍｅ  Ｓｌｏｔ）内に一つのＳＣ−ＦＤＭＡシンボルが存在する場合、該当ＳＣ−ＦＤＭＡシンボルは、ＳＲＳの送信のために使われることができる。ＵｐＰＴＳ内に２個のＳＣ−ＦＤＭＡシンボルが存在する場合、２個の該当ＳＣ−ＦＤＭＡシンボルの両方ともＳＲＳの送信のために使われることができ、一つの端末に同時に割り当てられることもできる。
【００９０】
端末は、ＳＲＳの送信とＰＵＣＣＨフォーマット２／２ａ／２ｂの送信が同じサブフレームで同時に発生する場合、いつもＳＲＳを送信しない。
【００９１】
端末は、ａｃｋＮａｃｋＳＲＳ−ＳｉｍｕｌｔａｎｅｏｕｓＴｒａｎｓｍｉｓｓｉｏｎパラメータがフォールス（ｆａｌｓｅ）である場合、ＳＲＳの送信とＡＣＫ／ＮＡＣＫ及び／又は肯定（ｐｏｓｉｔｉｖｅ）ＳＲを運ぶＰＵＣＣＨの送信が同じサブフレームで実行されると、いつもＳＲＳを送信しない。また、端末は、ａｃｋＮａｃｋＳＲＳ−ＳｉｍｕｌｔａｎｅｏｕｓＴｒａｎｓｍｉｓｓｉｏｎパラメータがトルー（ｔｒｕｅ）である場合、ＳＲＳの送信とＡＣＫ／ＮＡＣＫ及び／又は肯定ＳＲを運ぶＰＵＣＣＨの送信が同じサブフレームで構成されると、縮小された（ｓｈｏｒｔｅｎｅｄ）ＰＵＣＣＨフォーマットを使用し、ＡＣＫ／ＮＡＣＫ及び／又は肯定ＳＲを運ぶＰＵＣＣＨとＳＲＳを同時に送信する。即ち、セル特定するように設定されるＳＲＳサブフレーム内にＡＣＫ／ＮＡＣＫ及び／又は肯定ＳＲを運ぶＰＵＣＣＨが構成される場合には、縮小された（ｓｈｏｒｔｅｎｅｄ）ＰＵＣＣＨフォーマットを使用し、ＡＣＫ／ＮＡＣＫ及び／又は肯定ＳＲを運ぶＰＵＣＣＨとＳＲＳを同時に送信する。ＳＲＳの送信がプリアンブル（ｐｒｅａｍｂｌｅ）フォーマット４のためのＰＲＡＣＨ（Ｐｈｙｓｉｃａｌ  Ｒａｎｄｏｍ  Ａｃｃｅｓｓ  Ｃｈａｎｎｅｌ）領域と重なる場合、或いはセルで構成されたアップリンクシステム帯域幅の範囲を超過する場合、端末はＳＲＳを送信しない。
【００９２】
上位階層により与えられるパラメータであるａｃｋＮａｃｋＳＲＳ−ＳｉｍｕｌｔａｎｅｏｕｓＴｒａｎｓｍｉｓｓｉｏｎは、端末がＡＣＫ／ＮＡＣＫを運ぶＰＵＣＣＨとＳＲＳを一つのサブフレームで同時に送信することをサポートするか否かを決定する。もし、端末がＡＣＫ／ＮＡＣＫを運ぶＰＵＣＣＨとＳＲＳを一つのサブフレームで同時に送信すると構成される場合、端末はセル特定ＳＲＳサブフレームでＡＣＫ／ＮＡＣＫとＳＲＳを送信することができる。この時、縮小された（ｓｈｏｒｔｅｎｅｄ）ＰＵＣＣＨフォーマットが使われることができ、ＳＲＳが送信される位置に対応されるＡＣＫ／ＮＡＣＫ又はＳＲの送信は省略される（ｐｕｎｃｔｕｒｅｄ）。縮小されたＰＵＣＣＨフォーマットは、端末が該当サブフレームでＳＲＳが送信されない場合にもセル特定ＳＲＳサブフレームで使われる。もし、端末がＡＣＫ／ＮＡＣＫを運ぶＰＵＣＣＨとＳＲＳを一つのサブフレームで同時に送信しないと構成される場合、端末はＡＣＫ／ＮＡＣＫ及びＳＲの送信のために一般的なＰＵＣＣＨフォーマット１／１ａ／１ｂを使用することができる。
【００９３】
表７及び表８は、ＳＲＳの送信周期であるＴＳＲＳとＳＲＳサブフレームオフセットであるＴｏｆｆｓｅｔを指示する端末特定ＳＲＳ構成の一例である。ＳＲＳの送信周期ＴＳＲＳは、｛２，５，１０，２０，４０，８０，１６０，３２０｝ｍｓのうちいずれか一つに決定されることができる。
【００９４】
【表７】
0005559424.tif 000027
表８は、ＴＤＤシステムでのＳＲＳ構成の一例である。
【００９５】
【表８】
0005559424.tif 000028
ＴＤＤシステムで、ＴＳＲＳ＞２である場合とＦＤＤシステムでＳＲＳサブフレームは（１０＊ｎｆ＋ｋＳＲＳ−Ｔｏｆｆｓｅｔ）ｍｏｄ  ＴＳＲＳ＝０を満たす。ｎｆはフレームインデックスを示し、ｋＳＲＳはＦＤＤシステムではフレーム内でのサブフレームインデックスを示す。ＴＤＤシステムでＴＳＲＳ＝２である場合、２個のＳＲＳリソースが少なくとも一つのアップリンクサブフレームを含む半フレーム内に構成されることができ、ＳＲＳサブフレームは（ｋＳＲＳ−Ｔｏｆｆｓｅｔ）ｍｏｄ５＝０を満たす。
【００９６】
ＴＤＤシステムにおけるｋＳＲＳは、表９により決定されることができる。
【００９７】
【表９】
0005559424.tif 000029
一方、端末は、ＳＲＳの送信と任意接続応答グラント又はコンテンションベースの任意接続手順の一部として同じトランスポートブロック（ｔｒａｎｓｐｏｒｔ  ｂｌｏｃｋ）の再送信に対応されるＰＵＳＣＨの送信が同じサブフレーム内で実行される場合、いつもＳＲＳを送信しない。
【００９８】
ＳＲＳの送信方法は、二つに区分されることができる。ＬＴＥ  ｒｅｌ−８で定義された方法により、ＲＲＣ（Ｒａｄｉｏ  Ｒｅｓｏｕｒｃｅ  Ｃｏｎｔｒｏｌ）シグナリングにより受信したＳＲＳパラメータによって周期的にＳＲＳを送信する周期的（ｐｅｒｉｏｄｉｃ）ＳＲＳの送信方法と、基地局から動的（ｄｙｎａｍｉｃ）に誘発（ｔｒｉｇｇｅｒ）されるメッセージに基づいて必要のたびにＳＲＳを送信する非周期的（ａｐｅｒｉｏｄｉｃ）ＳＲＳの送信方法が存在する。ＬＴＥ−Ａで非周期的ＳＲＳの送信方法が導入されることができる。
【００９９】
一方、周期的ＳＲＳの送信方法及び非周期的ＳＲＳの送信方法におけるＳＲＳは、端末特定（ＵＥ−ｓｐｅｃｉｆｉｃ）するように決定された端末特定ＳＲＳサブフレームで送信されることができる。ＬＴＥ  ｒｅｌ−８で定義された周期的ＳＲＳの送信方法で、セル特定ＳＲＳパラメータにより周期的にセル特定ＳＲＳサブフレームが設定され、セル特定ＳＲＳサブフレームのうち端末特定ＳＲＳパラメータにより設定される周期的な端末特定ＳＲＳサブフレームで周期的ＳＲＳが送信される。この時、周期的な端末特定ＳＲＳサブフレームは、セル特定ＳＲＳサブフレームの部分集合である。前記セル特定ＳＲＳパラメータは、上位階層（ｈｉｇｈｅｒ  ｌａｙｅｒ）により与えられることができる。非周期的ＳＲＳの送信方法で、非周期的ＳＲＳは、端末特定非周期的ＳＲＳパラメータにより決定される非周期的である端末特定ＳＲＳサブフレームで送信されることができる。非周期的ＳＲＳの送信方法の非周期的端末特定ＳＲＳサブフレームは、ＬＴＥ  ｒｅｌ−８で定義されているようにセル特定ＳＲＳサブフレームの部分集合であってもよい。又は、非周期的端末特定ＳＲＳサブフレームは、セル特定ＳＲＳサブフレームと同じであってもよい。前記端末特定非周期的ＳＲＳパラメータも前記セル特定ＳＲＳパラメータと同様に上位階層により与えられることができる。端末特定非周期的ＳＲＳサブフレームは、前述した表７又は表８のサブフレーム周期及びサブフレームオフセットにより設定されることができる。
【０１００】
端末の非周期的ＳＲＳの送信をトリガするために、基地局は、端末にトリガリング信号（ｔｒｉｇｇｅｒｉｎｇ  ｓｉｇｎａｌ）を送信することができる。基地局が非周期的ＳＲＳのトリガリング信号を送信するための多様な方法が提案されることができる。
【０１０１】
まず、端末の非周期的ＳＲＳの送信をトリガする信号は、ＤＣＩフォーマット０又は１Ａに新たに定義されるビットを介して送信されることができる。ＤＣＩフォーマット０又は１Ａ内で非周期的ＳＲＳトリガリングビットの大きさは１ビットである。非周期的ＳＲＳトリガリングビットが１ビットである時、非周期的ＳＲＳトリガリングビットが示すことができる二つの状態のうち、一つは、非周期的ＳＲＳの送信をトリガするように設定し、他の一つは、非周期的ＳＲＳの送信をトリガしないように設定することができる。
【０１０２】
この時、追加される１ビットは、搬送波集合（ｃａｒｒｉｅｒ  ａｇｇｒｅｇａｔｉｏｎ）システムで搬送波間スケジューリング（ｃｒｏｓｓ−ｃａｒｒｉｅｒ  ｓｃｈｅｄｕｌｉｎｇ）のためにＤＣＩフォーマット０又は１Ａ内に定義される３ビットの搬送波インデックスフィールド（Ｃａｒｒｉｅｒ  Ｉｎｄｅｘ  Ｆｉｅｌｄ）と独立的に存在することができる。非周期的ＳＲＳの送信トリガリングビットとＣＩＦが新たに定義されることによって、ＬＴＥ−ＡのＤＣＩフォーマット０又は１Ａの大きさは、既存のＬＴＥ  ｒｅｌ−８のＤＣＩフォーマット０又は１Ａの大きさより大きい。非周期的ＳＲＳトリガリングビットとＣＩＦによってＤＣＩフォーマット０又は１Ａの大きさが増加することによって、ＬＴＥ−Ａ端末は、端末共通探索空間（ＵＥ  ｃｏｍｍｏｎ  ｓｅａｒｃｈ  ｓｐａｃｅ）でない端末特定探索空間（ＵＥ  ｓｐｅｃｉｆｉｃ  ｓｅａｒｃｈ  ｓｐａｃｅ）でＰＤＣＣＨをブラインドデコーディング（ｂｌｉｎｄ  ｄｅｃｏｄｉｎｇ）することができる。ＬＴＥ−Ａ端末がＵＳＳから検出するＰＤＣＣＨ内のＤＣＩフォーマット０又は１Ａの大きさは、既存のＬＴＥ  ｒｅｌ−８のＤＣＩフォーマット０又は１Ａの大きさより１ビット又は４ビットが大きい。非周期的ＳＲＳの送信トリガリングビットのみがＤＣＩフォーマット０又は１Ａに含まれる場合、１ビットが大きく、非周期的ＳＲＳの送信トリガリングビットとＣＩＦがＤＣＩフォーマット０又は１Ａに全部含まれる場合、４ビットが大きい。ＬＴＥ−Ａ端末は、ＵＳＳ上で増加された大きさのＤＣＩフォーマット０又は１Ａを検出するため、端末のブラインドデコーディングの数は増加しない。以上、非周期的ＳＲＳトリガリングビットがＤＣＩフォーマット０又は１Ａに追加されると仮定したが、非周期的ＳＲＳトリガリングビットは、ＬＴＥ−ＡでＵＬ  ＭＩＭＯのために定義されるＤＣＩフォーマット又はＵＬ不連続（ｎｏｎ−ｃｏｎｔｉｇｕｏｕｓ）送信をサポートするために定義されることができるＤＣＩフォーマット又はＤＬＤＣＩフォーマットに追加されることもできる。
【０１０３】
前記ＤＣＩフォーマット０又は１Ａ内に新たに定義される非周期的ＳＲＳトリガリング信号は、非周期的ＳＲＳ活性化信号（ａｃｔｉｖａｔｉｏｎ  ｓｉｇｎａｌ）により活性化されることができる。即ち、非周期的ＳＲＳがＤＣＩフォーマット０又は１Ａ内の非周期的ＳＲＳトリガリングビットによりトリガされるかどうかを指示するために非周期的ＳＲＳ活性化信号が使われることができる。前記非周期的ＳＲＳ活性化信号は、ＲＲＣシグナリングされることができる。前記非周期的ＳＲＳ活性化信号の大きさは、１ビットである。即ち、非周期的ＳＲＳ活性化信号の値が１の場合、ＤＣＩフォーマット０又は１Ａ内に非周期的ＳＲＳのトリガリングを指示する非周期的ＳＲＳトリガリングビットが定義されることができる。一方、このような非周期的ＳＲＳの活性化は、ＵＥ共通探索空間ではサポートされない。
【０１０４】
一方、ＤＣＩフォーマット０又は１Ａ内に非周期的ＳＲＳトリガリングビットが定義される時、ＵＬグラント（ｇｒａｎｔ）が送信されない場合がある。即ち、ＤＣＩフォーマット０又は１Ａは送信されるが、これに対応されるＰＵＳＣＨの送信がない場合である。このような場合、ＵＬグラントが送信されないことを指示する必要があり、ＤＣＩフォーマット０又は１Ａで使われない状態（ｕｎｕｓｅｄ  ｓｔａｔｅ）又はコードポイント（ｃｏｄｅ−ｐｏｉｎｔ）又は複数のコードポイントの組合せのうちいずれか一つのコードポイントを使用してこれを指示することができる。前記使われない状態又はコードポイントの一例として、ＤＣＩフォーマット０又は１Ａ内のリソース割当（ｒｅｓｏｕｒｃｅ  ａｌｌｏｃａｔｉｏｎ）フィールドの使われない状態を使用することができる。又は、ＣＱＩ要求フィールド、ＭＣＳ、及びＲＶフィールド又は新規データ指示子（ｎｅｗ  ｄａｔａ  ｉｎｄｉｃａｔｏｒ）フィールドなどの使われない状態を使用することができる。このようにＤＣＩフォーマット０又は１Ａ内のフィールドの使われない状態又はコードポイントを用いてＰＵＳＣＨ送信が無いことを指示し、これによって残るビットは非周期的ＳＲＳのためのパラメータのために使われることができる。例えば、非周期的ＳＲＳの送信のための全てのパラメータが含まれることができる。非周期的ＳＲＳの送信のためのパラメータのうち一部が含まれることができる。例えば、非周期的ＳＲＳの送信のためのパラメータのうち端末特定パラメータが含まれることができる。又は、端末特定パラメータのうち動的に変化する必要がある特定パラメータのみ含まれることもできる。
【０１０５】
又は、非周期的ＳＲＳの送信をトリガするために新たなＤＣＩフォーマットが定義されることができる。これを非周期的ＳＲＳ専用（ｄｅｄｉｃａｔｅｄ）ＤＣＩフォーマットということができる。非周期的ＳＲＳ専用ＤＣＩフォーマットが定義される時、非周期的ＳＲＳ専用ＤＣＩフォーマットは、非周期的ＳＲＳトリガリングビットのみを含むことができる。又は、非周期的ＳＲＳ専用ＤＣＩフォーマットは、非周期的ＳＲＳの送信のための全てのパラメータを含むことができる。非周期的ＳＲＳの送信のためのパラメータは、周期的ＳＲＳの送信のために定義されたパラメータと同じパラメータである。即ち、非周期的ＳＲＳトリガリングビット以外に非周期的ＳＲＳの循環シフト（ｃｙｃｌｉｃ  ｓｈｉｆｔ）値、リソース割当（ｒｅｓｏｕｒｃｅ  ａｌｌｏｃａｔｉｏｎ）情報、及びホッピングフラッグなどを含むことができる。又は、非周期的ＳＲＳ専用ＤＣＩフォーマットは、非周期的ＳＲＳの送信のためのパラメータのうち一部を含むことができる。例えば、非周期的ＳＲＳの送信のためのパラメータのうち、セル特定パラメータは、ＲＲＣシグナリングを介して送信し、端末特定パラメータを非周期的ＳＲＳ専用ＤＣＩフォーマットに含ませて送信することができる。又は、端末特定パラメータのうち、動的に変化する必要がある特定パラメータのみ非周期的ＳＲＳ専用ＤＣＩフォーマットに含まれることもできる。
【０１０６】
非周期的ＳＲＳ専用ＤＣＩフォーマットが定義される場合、端末でＤＣＩフォーマット０又は１Ａを検出するにあたって、ブラインドデコーディングの数を増加させないために、非周期的ＳＲＳ専用ＤＣＩフォーマットの大きさは、既存のＤＣＩフォーマット０又は１Ａの大きさと同一な必要がある。この時、非周期的ＳＲＳトリガリングビットは、ＤＣＩフォーマット０内に定義されることができる。ＤＣＩフォーマット０内の全てのフィールドのうち、特定フィールドの特定状態（ｓｐｅｃｉａｌ  ｓｔａｔｅ）が非周期的ＳＲＳのトリガリングのために使われることができる。前記特定フィールドは、周波数ホッピングフラッグ（ｆｒｅｑｕｅｎｃｙ  ｈｏｐｐｉｎｇ  ｆｌａｇ）フィールド、リソースブロック割当、及びホッピングリソース割当（ｒｅｓｏｕｒｃｅ  ｂｌｏｃｋ  ａｓｓｉｇｎｍｅｎｔ  ａｎｄ  ｈｏｐｐｉｎｇ  ｒｅｓｏｕｒｃｅ  ａｌｌｏｃａｔｉｏｎ）フィールド、変調及びコーディング方式及び余分バージョン（Ｍｏｄｕｌａｔｉｏｎ  ａｎｄ  ｃｏｄｉｎｇ  ｓｃｈｅｍｅ  ａｎｄ  ｒｅｄｕｎｄａｎｃｙ  ｖｅｒｓｉｏｎ）フィールド、新規データ指示子（ｎｅｗ  ｄａｔａ  ｉｎｄｉｃａｔｏｒ）フィールド、スケジューリングされたＰＵＳＣＨのためのＴＰＣ命令（ＴＰＣ  ｃｏｍｍａｎｄ  ｆｏｒ  ｓｃｈｅｄｕｌｅｄ  ＰＵＳＣＨ）フィールド、ＤＭＲＳのための循環シフトフィールド（ｃｙｃｌｉｃ  ｓｈｉｆｔ  ｆｏｒ  ＤＭＲＳ）、ＣＱＩ要求（ＣＱＩ  ｒｅｑｕｅｓｔ）のうちいずれか一つである。列挙したＤＣＩフォーマット０内の特定フィールドのうち予め指定された特定状態が非周期的ＳＲＳのトリガリング又は非周期的ＳＲＳの構成を指示することができる。また、前記予め指定された特定状態は、ＲＲＣに送信されるメッセージにより指示されることができる。
【０１０７】
又は、非周期的ＳＲＳの送信をトリガする信号は、ＰＵＳＣＨ送信のスケジューリングのためのＵＬグラント（ｇｒａｎｔ）と同時に送信されることができる。ＰＵＳＣＨ送信のための二つのリソース割当方法が存在する。一つの方法は、ＬＴＥ  ｒｅｌ−８／９で適用される周波数従属スケジューリング（ｆｒｅｑｕｅｎｃｙ  ｄｅｐｅｎｄａｎｔ  ｓｃｈｅｄｕｌｉｎｇ）を用いてダイバーシティ利得（ｄｉｖｅｒｓｉｔｙ  ｇａｉｎ）を得る連続割当（ｃｏｎｔｉｇｕｏｕｓ  ａｌｌｏｃａｔｉｏｎ）である。他の方法は、ＬＴＥ−Ａで適用されることができる不連続割当（ｎｏｎ−ｃｏｎｔｉｇｕｏｕｓ  ａｌｌｏｃａｔｉｏｎ）である。ＰＵＳＣＨリソースの連続割当で周波数ダイバーシティを得るために、スロット間又はサブフレーム間に周波数ホッピング（ｆｒｅｑｕｅｎｃｙ  ｈｏｐｐｉｎｇ）が適用されることができ、これを指示するために、ＤＣＩフォーマット０に１ビット大きさの周波数ホッピングフラッグフィールドが定義される。然しながら、ＰＵＳＣＨリソースの不連続割当では、スロット間又はサブフレーム間周波数ホッピングを適用するとしても、大きく利得を得ることができず、従って、ＤＣＩフォーマット０の周波数ホッピングフラッグフィールドは、使われないフィールド（ｕｎｕｓｅｄ  ｂｉｔ）として残るようになる。
【０１０８】
従って、ＰＵＳＣＨリソースの不連続割当で使われない周波数ホッピングフラッグフィールドが非周期的ＳＲＳトリガリングビットとして使われることができる。従って、非周期的ＳＲＳトリガリングビットとＰＵＳＣＨ送信のためのＵＬグラントが同時に送信されることができるという長所がある。この時、非周期的ＳＲＳの送信に必要な端末特定パラメータ、セル特定パラメータ、及びコンポーネントキャリア（ＣＣ；Ｃｏｍｐｏｎｅｎｔ  Ｃａｒｒｉｅｒ）特定パラメータなどは、ＲＲＣパラメータとして設定されてＲＲＣシグナリングされることができる。一方、ＰＵＳＣＨリソースの不連続割当のためのＤＣＩフォーマット０とＬＴＥ  ｒｅｌ−８／９のＰＵＳＣＨリソースの連続割当のためのＤＣＩフォーマット０とが同じ大きさを有する場合、ＤＣＩフォーマット０とＤＣＩフォーマット１Ａの大きさを合わせるために、ＤＣＩフォーマット０に０ビットがパディング（ｐａｄｄｉｎｇ）されることができる。
【０１０９】
図６は、提案された非周期的ＳＲＳの送信方法の一実施例を示す。
【０１１０】
ステップＳ１００で、端末は、非周期的ＳＲＳの送信を活性化（ａｃｔｉｖａｔｉｏｎ）する非周期的ＳＲＳ活性化信号を基地局から受信する。ステップＳ１１０で、端末は、非周期的ＳＲＳの送信をトリガする非周期的ＳＲＳトリガリング信号を含むＤＣＩフォーマット０又は１ＡをＰＤＣＣＨを介して基地局から受信する。ステップＳ１２０で、端末は、前記ＰＤＣＣＨを端末特定探索空間でブラインドデコーディングする。ステップＳ１３０で、端末は、前記非周期的ＳＲＳトリガリング信号に基づいて非周期的ＳＲＳを基地局に送信する。
【０１１１】
図７は、本発明の実施例が具現される基地局及び端末のブロック図である。
【０１１２】
基地局８００は、プロセッサ（ｐｒｏｃｅｓｓｏｒ）８１０、メモリ（ｍｅｍｏｒｙ）８２０、及びＲＦ部（Ｒａｄｉｏ  Ｆｒｅｑｕｅｎｃｙ  ｕｎｉｔ）８３０を含む。プロセッサ８１０は、提案された機能、過程及び／又は方法を具現する。無線インターフェースプロトコルの階層は、プロセッサ８１０により具現されることができる。メモリ８２０は、プロセッサ８１０と連結され、プロセッサ８１０を駆動するための多様な情報を格納する。ＲＦ部８３０は、プロセッサ８１０と連結され、非周期的ＳＲＳの送信を活性化する非周期的ＳＲＳ活性化信号を送信し、非周期的ＳＲＳの送信をトリガする非周期的ＳＲＳトリガリング信号を含むＤＣＩフォーマット０又は１ＡをＰＤＣＣＨを介して送信する。
【０１１３】
端末９００は、プロセッサ９１０、メモリ９２０、及びＲＦ部９３０を含む。ＲＦ部９３０は、プロセッサ９１０と連結され、非周期的ＳＲＳ活性化信号及び非周期的ＳＲＳトリガリング信号を含むＤＣＩフォーマット０又は１ＡをＰＤＣＣＨを介して受信する。また、前記トリガリング信号に基づいてトリガされた前記非周期的ＳＲＳを送信する。プロセッサ９１０は、提案された機能、過程及び／又は方法を具現する。無線インターフェースプロトコルの階層は、プロセッサ９１０により具現されることができる。プロセッサ９１０は、前記ＰＤＣＣＨを端末特定探索空間でブラインドデコーディングする。メモリ９２０は、プロセッサ９１０と連結され、プロセッサ９１０を駆動するための多様な情報を格納する。
【０１１４】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット  、論理回路及び／又はデータ処理装置を含むことができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／又は他の格納装置を含むことができる。ＲＦ部８３０、９３０は、無線信号を処理するためのベースバンド回路を含むことができる。実施例がソフトウェアで具現される時、前述した技法は、前述した機能を遂行するモジュール（過程、機能など）で具現されることができる。モジュールは、メモリ８２０、９２０に格納され、プロセッサ８１０、９１０により実行されることができる。メモリ８２０、９２０は、プロセッサ８１０、９１０の内部又は外部にあり、よく知られた多様な手段でプロセッサ８１０、９１０と連結されることができる。
【０１１５】
前述した例示的なシステムで、方法は、一連のステップ又はブロックで順序図に基づいて説明されているが、本発明は、ステップの順序に限定されるものではなく、あるステップは前述と異なるステップと異なる順序に又は同時に発生することができる。また、当業者であれば、順序図に示すステップが排他的でなく、他のステップが含まれたり、順序図の一つ又はその以上のステップが本発明の範囲に影響を及ぼさずに削除可能であることを理解することができる。
【０１１６】
前述した実施例は、多様な態様の例示を含む。多様な態様を示すための全ての可能な組合せを記述することはできないが、該当技術分野の通常の知識を有する者は、他の組合せが可能であることを認識することができる。従って、本発明は、特許請求の範囲内に属する全ての交替、修正、及び変更を含む。
【図１】
0005559424.tif 000030
【図２】
0005559424.tif 000031
【図３】
0005559424.tif 000032
【図４】
0005559424.tif 000033
【図５】
0005559424.tif 000034
【図６】
0005559424.tif 000035
【図７】
0005559424.tif 000036